(57)【特許請求の範囲】
【請求項１】
タイヤトレッドの表面に、タイヤ周方向に沿って延びる周方向溝により区画され、かつ、一端が上記周方向溝側に開口し他端が陸部内で終端する複数本のラグ溝を備えた、周方向に連続するリブ状部と上記ラグ溝により区画された翼部とを有する陸部が少なくとも１列設けられた空気入りタイヤであって、
上記翼部のタイヤ接地面側には多数の小穴が設けられており、
上記翼部のタイヤ幅方向に沿った長さである翼部幅をＬ１とし、上記小穴が設けられている領域のタイヤ幅方向に沿った長さである領域幅をＬ２としたとき、上記領域幅Ｌ２の上記翼部幅Ｌ１に対する比である幅比（Ｌ２／Ｌ１）が０．３≦（Ｌ２／Ｌ１）≦１．０を満たす範囲に設定され、
上記小穴の密度が周方向溝側に近い程高いことを特徴とする空気入りタイヤ。
【請求項２】
タイヤトレッドの表面に、タイヤ周方向に沿って延びる周方向溝により区画され、かつ、一端が上記周方向溝側に開口し他端が陸部内で終端する複数本のラグ溝を備えた、周方向に連続するリブ状部と上記ラグ溝により区画された翼部とを有する陸部が少なくとも１列設けられた空気入りタイヤであって、
上記翼部のタイヤ接地面側には多数の小穴が設けられており、
上記翼部のタイヤ幅方向に沿った長さである翼部幅をＬ１とし、上記小穴が設けられている領域のタイヤ幅方向に沿った長さである領域幅をＬ２としたとき、上記領域幅Ｌ２の上記翼部幅Ｌ１に対する比である幅比（Ｌ２／Ｌ１）が０．３≦（Ｌ２／Ｌ１）≦１．０を満たす範囲に設定され、
上記小穴の開口部の大きさが周方向溝側に近い程大きいことを特徴とする空気入りタイヤ。
【請求項３】
上記小穴の断面積が深さ方向に変化していることを特徴とする請求項１または請求項２に記載の空気入りタイヤ。
【請求項４】
上記小穴の深さは周方向溝側に近い程深いことを特徴とする請求項１〜請求項３のいずれかに記載の空気入りタイヤ。
【請求項５】
深さ方向がタイヤ接地面に垂直な方向と所定の角度を有する小穴が設けられていることを特徴とする請求項１〜請求項４のいずれかに記載の空気入りタイヤ。  
【発明の詳細な説明】
【技術分野】
【０００１】
本発明は、空気入りタイヤに関するもので、特に、一端が陸部内で終端するラグ溝が配置されたリブ状のトレッドパターンを有する空気入りタイヤに関する。
【背景技術】
【０００２】
近年、車両の静粛化に伴って、タイヤに起因したノイズの自動車騒音に対する寄与が大きくなり、その低減が求められている。上記タイヤノイズの原因としては、タイヤが路面に接地する際に起こる接地摩擦振動音や、路面の凹凸に起因する路面騒音があるが、乗用車の場合には、特に、タイヤトレッド表面に形成されたトレッドパターンに起因するパターンノイズの割合が大きい。特に、ラグパターンやブロックパターンのように、トレッドパターンの不連続部が接地するとき路面と衝突して起こる打撃音は、ラグ溝やブロックのピッチ間隔と車速とに依存した周波数（パターンピッチ周波数）において特に大きくなることから、ピッチノイズとも呼ばれている。
このような打撃音によるタイヤ騒音を低減する方法としては、ピッチ間隔を複数にしたりなどして、単一周波数にピークを持たせないようにする方法などが提案されている。
また、ラグ溝については、タイヤ幅方向に対して角度を持ったラグ溝とすることにより、上記衝撃音を低減する方法が行なわれている。
【０００３】
一方、ブロックパターンを有するタイヤにおいては、ラグ溝に角度を持たせると、ブロック形状が平行四辺形に近づくためブロック剛性が低下したり、偏摩耗が生じるなどの問題があることが指摘されていることから、図１４（ａ）に示すように、ブロック５０の周方向溝側に、当該ブロック５０の最初に接地する側５０Ａでは幅が広く、タイヤ周方向に沿ってその幅が次第に狭くなっている、その高さがタイヤクラウン部の仮想輪郭線よりも低い面取り部５１を設けて、上記ブロック５０を徐々に接地させるようにすることにより、踏み込み、蹴り出しのタイミングをずらし、時間軸で上記ピッチノイズを分散させて、上記ピッチノイズを低減する方法や、図１４（ｂ）に示すように、ブロック６０の踏み込み縁６０Ａから蹴り出し縁６０Ｂまで、その高さがタイヤクラウン部の仮想輪郭線と等しく、その延長方向がタイヤ周方向に対して傾いた所定幅の平坦部６１を設けるとともに、当該ブロック６０の最初に接地する側６０Ａと最後に接地する側６０Ａには、周方向溝側に行くに従ってその高さが漸減する低地部６２，６３を設けて、上記ブロック６０を徐々に接地させるようにするとともに、上記ブロック６０が徐々に路面から離れるようにすることにより、踏み込み、蹴り出しのタイミングをずらして、上記ピッチノイズを低減する方法などが提案されている（例えば、特許文献１参照）。
【特許文献１】特開２００３−２５８１０号公報
【発明の開示】
【発明が解決しようとする課題】
【０００４】
ところで、自動車用タイヤのトレッドパターンとしては、図１５に示すような、一端が周方向溝７１側に開口し、他端が周方向溝７１，７１で区画された陸部内で終端するラグ溝７３を有する、周方向に連続するリブ状部７２と上記ラグ溝が配置された翼部７４とを有する陸部（ラグ溝付リブ）７５を備えたトレッドパターンも多く用いられている。このようなトレッドパターンを有するタイヤにおいても、上記ラグ溝７３によって区画された翼部７４がトレッドパターンの不連続となるので、上記ラグ溝７３のピッチに依存するピッチノイズが発生する。
上記ラグ溝付リブ７５のように、周方向に連続するリブ状部７２を有するトレッドパターンにおいては、ノイズ対策のため、上記ラグ溝７３をその延長方向がタイヤ幅方向に対して角度を持つように形成しているので、踏み込み時や蹴り出し時には上記陸部の接地幅は徐々に変化する。したがって、上記ラグ溝７３が傾斜している場合には、時間軸で上記ピッチノイズを引き伸すことができるだけでなく、上記リブ状部では、パターンピッチの周波数成分を持たないので、上記のような面取り部５１や低地部６２，６３を設けなくても、ブロックパターンを有するタイヤに比較して騒音レベルは低くなっている。
しかしながら、上記ラグ溝７３のタイヤ幅方向に対する角度を大きくすると、ラグ溝を有するタイヤの特徴である操縦安定性が低下するだけでなく、偏摩耗が起こりやすくなる恐れがある。このように、上記ラグ溝７３の角度を大きくするには限界があることから、現状では、トレッドパターンの基調を変更することなく、上記ピッチノイズを低減することは困難であった。
【０００５】
本発明は、従来の問題点に鑑みてなされたもので、リブ状のトレッドパターンを有する空気入りタイヤにおいて、トレッドパターンの基調を変更することなく、ラグ溝に起因するピッチノイズを抑制して、車両の静粛性を向上させることを目的とする。
【課題を解決するための手段】
【０００６】
本願の請求項１に記載の発明は、タイヤトレッドの表面に、タイヤ周方向に沿って延びる周方向溝により区画され、かつ、一端が上記周方向溝側に開口し他端が陸部内で終端する複数本のラグ溝を備えた、周方向に連続するリブ状部と上記ラグ溝により区画された翼部とを有する陸部が少なくとも１列設けられた空気入りタイヤであって、上記翼部のタイヤ接地面側には多数の小穴が設けられており、上記翼部のタイヤ幅方向に沿った長さである翼部幅をＬ１とし、上記小穴が設けられている領域のタイヤ幅方向に沿った長さである領域幅をＬ２としたとき、上記領域幅Ｌ２の上記翼部幅Ｌ１に対する比である幅比（Ｌ２／Ｌ１）が０．３≦（Ｌ２／Ｌ１）≦１．０を満たす範囲に設定され、上記小穴の密度が周方向溝側に近い程高いことを特徴とするものである。
請求項２に記載の発明は、上記小穴の開口部の大きさを周方向溝側に近い程大きくしたものである。  
【０００７】
請求項３に記載の発明は、請求項１または請求項２に記載の空気入りタイヤであって、上記小穴の断面積が深さ方向に変化していることを特徴とする。
請求項４に記載の発明は、請求項１〜請求項３のいずれかに記載の空気入りタイヤであって、上記小穴の深さが周方向溝側に近い程深いことを特徴とする。
請求項５に記載の発明は、請求項１〜請求項４のいずれかに記載の空気入りタイヤであって、深さ方向がタイヤ接地面に垂直な方向と所定の角度を有する小穴が設けられていることを特徴とする。  
【発明の効果】
【０００８】
本発明によれば、周方向に連続するリブ状部とラグ溝により区画された翼部とを有する陸部（ラグ溝付リブ）が少なくとも１列設けられた空気入りタイヤにおいて、上記翼部のタイヤ接地面側に多数の小穴を設けて、翼部の圧縮剛性を低下させるようにするとともに、上記翼部の接地面積を少なくして、翼部の荷重負担を、この翼部と連結されている、周方向に連続なリブ状部にシフトさせるようにしたので、上記翼部に入力する踏み込み時や蹴り出し時の打撃力を減少させることができ、上記ラグ溝に起因するピッチノイズを効果的に低減することができる。
このとき、上記翼部のタイヤ幅方向に沿った長さである翼部幅をＬ１とし、上記小穴が形成されている領域のタイヤ幅方向に沿った長さである領域幅をＬ２としたとき、上記領域幅Ｌ２の上記翼部幅Ｌ１に対する比である幅比（Ｌ２／Ｌ１）が０．３≦（Ｌ２／Ｌ１）≦１．０を満たす範囲とするとともに、上記小穴の密度を周方向溝側に近い程高くするか、もしくは、上記小穴の開口部の大きさが周方向溝側に近い程大きくすれば、上記ピッチノイズを確実に低減することができる。
なお、上記小穴は上記翼部の周方向溝側に設けてもよいし、リブ状部側に設けてもよいが、周方向溝側の小穴ほどその深さを深くしたりなどして、上記翼部の周方向溝側の圧縮剛性を低下させるようにすれば、上記ピッチノイズを更に低減することができる。
【発明を実施するための最良の形態】
【０００９】
以下、本発明の最良の形態について、図面に基づき説明する。
図１は、本発明の最良の形態に係る空気入りタイヤ１０のトレッドパターンの一例を示す図で、同図において、１１ａ〜１１ｄはタイヤ周方向に沿って延びる周方向溝、１２は上記周方向溝１１ａ〜１１ｄのうち、タイヤ幅方向外側に位置する周方向溝１１ａ，１１ｄからそれぞれタイヤ幅外側方向外側に延長する横溝、１３はタイヤ幅方向の中央に位置する第１の陸部、１４，１４は上記中央陸部1３の両側に位置し、それぞれに、一端が上記周方向溝１１ａもしくは周方向溝１１ｄ側に開口し他端が当該陸部内で終端する、タイヤ幅方向に対して所定の角度傾斜して形成された複数本のラグ溝１５を備えた第２の陸部、１６は上記周方向溝１１ａ，１１ｄと上記横溝１２とにより区画されたショルダーブロックである。
上記第２の陸部１４は、タイヤ周方向に連続して延長するリブ状部１４ａとこのリブ状部１４ａから上記周方向溝１１ｄ（または、周方向溝１１ａ）側に突出する、上記ラグ溝１５，１５により区画された多数の翼部１４ｂとを有する陸部で、以下、この第２の陸部１４，１４をラグ溝付リブと呼ぶ。
【００１０】
本最良の形態では、図２にも示すように、上記ラグ溝付リブ１４の各翼部１４ｂの上記周方向溝１１ｄ側、すなわち、翼部１４ｂがリブ状部１４ａと一体となっている側とは反対側に、多数の小穴１４ｈが設けられた小穴領域１４ｃを設けている。
上記小穴１４ｈは、基本的には、その周囲の接地圧を下げる方向に働く。その理由はゴムの非圧縮性にある。すなわち、ピッチに対応した騒音入力はゴムを変形させる力として作用するので、上記翼部１４ｂのような周方向に不連続な部分の接地圧を効果的に下げることができれば、その部分の荷重はピッチ入力のない周方向連続部（リブ状部１４ａ）が負担することになる。また、上記翼部１４ｂにおいては、周方向連続部であるリブ状部１４ａから遠いほど、部分的には完全に溝で区画されたブロックに近い挙動を示すので、騒音入力としての寄与は周方向溝１１ｄ側に近いほど大きい。そこで、本例では、図３（ａ），（ｂ）に示すように、翼部１４ｂの周方向溝１１ｄ側よりに、タイヤ幅方向に沿った長さがＬ２で、周方向には一様な、等間隔に設けられた多数の小穴１４ｈを配置して成る小穴領域１４ｃを設けることにより、図３（ｃ）に示すように、上記翼部１４ｂの接地圧を下げて、上記翼部１４ｂの荷重負担を、上記翼部１４ｂと連結されている、周方向に連続なリブ状部１４ａにシフトさせるようにしている。これにより、上記翼部１４ｂに入力する踏み込み時や蹴り出し時の打撃力を減少させることができるので、上記ラグ溝１５に起因するピッチノイズを大幅に低減することができる。
【００１１】
このとき、上記小穴領域１４ｃの幅（領域幅）Ｌ２としては、図３（ａ）に示すように、上記翼部１４ｂのタイヤ表面に沿った幅（翼部幅）をＬ１としたとき、上記Ｌ１に対して、０．３≦（Ｌ２／Ｌ１）≦１．０を満たす範囲に設定することが好ましい。
上記領域幅Ｌ２の翼部幅Ｌ１に対する比である幅比（Ｌ２／Ｌ１）が０．３未満である場合には小穴１４ｈを設けた効果が少なく、上記翼部１４ｂの荷重負担を連続部であるリブ状部１４ａに十分にシフトさせることができないので、パターンノイズの低減が望めない。なお、幅比の上限値が１．０なのは、小穴領域１４ｃを翼部１４ｂにのみ設けることを意味している。すなわち、リブ状部１４ａにも小穴１４ｈを設けると、リブ状部１４ａの接地圧まで減少してしまうので、かえってパターンノイズが増大する恐れがある。したがって、幅比（Ｌ２／Ｌ１）は０．３〜１．０とすることが好ましい。
なお、このような小穴１４ｈは、サイプなどの細溝と異なり、翼部１４ｂそのものの挙動を大きく変えることはないので、偏摩耗や操縦安定性に悪影響を与えることなく、ノイズ特性を改善することができる。
【００１２】
このように、本最良の形態によれば、タイヤトレッドの表面に、タイヤ周方向に連続して延長するリブ状部１４ａとこのリブ状部１４ａから上記周方向溝１１ｄ側に突出する、上記ラグ溝１５，１５により区画された多数の翼部１４ｂとを有するラグ溝付リブ１４が設けられたトレッドパターンを有する空気入りタイヤにおいて、上記ラグ溝付リブ１４の各翼部１４ｂの上記周方向溝１１ｄ側に、タイヤ幅方向に沿った長さがＬ２が翼部１４ｂの幅Ｌ１に対して０．３〜１．０である、周方向に一様に、かつ、等間隔に設けられた多数の小穴１４ｈを配置して成る小穴領域１４ｃを設けて、上記翼部１４ｂの荷重負担を上記リブ状部１４ａに有効にシフトさせるようにしたので、上記翼部１４ｂに入力する踏み込み時や蹴り出し時の打撃力を減少させることができ、上記ラグ溝１５に起因するパターンノイズを大幅に低減することができる。
【００１３】
なお、上記実施の形態では、その断面積が深さ方向に一様な小穴１４ｈを設けた場合について説明したが、上記小穴１４ｈは、上記翼部１４ｂの接地圧を下げるために設けられるものであるので、その断面形状としては、必ずしも一様なものである必要はなく、図４（ａ），（ｂ）に示すように、その断面積が深さ方向に変化したものであってもよい。
また、図５（ａ），（ｂ）に示すように、その深さ方向がタイヤ接地面に垂直な方向と所定の角度を有するものや、螺旋穴のような３次元的な形状のものであってもよい。この場合には、ラグ溝付リブ１４の厚さ以上の深い穴を設けることができるので、ピッチノイズを更に低減することができる。
また、小穴１４ｈの深さは必ずしも同じである必要はなく、複数の異なる深さの小穴を設けるようにしてもよい。このとき、小穴の底のクラックを懸念した場合には、例えば、図６（ａ），（ｂ）に示すように、１つの小穴１４ｈ（１４Ｈ）の深さが周囲の小穴１４Ｈ（１４ｈ）と異なるように、深さの異なる小穴１４Ｈと小穴１４ｈとを組合わせた分布とする方が、深さが全て同一の小穴を設けた場合に比べて有利である。
また、上記小穴１４ｈの開口部の径、あるいは、断面積についても全て同じである必要はなく、例えば、図７に示すように、大小の開口部径を有する小穴１４Ｋ，１４ｋをランダムに組み合わせたものであってもよい。
【００１４】
また、上記例では、上記小穴領域１４ｃを上記翼部１４ｂの周方向溝１１ｄ側に設けて周方向連続部であるリブ状部１４ａから遠い部分の接地圧を小さくするようにしたが、これに加えて、図８（ａ）に示すように、小穴１４ｈの密度を周方向溝１１ｄ側で高くしたり、図８（ｂ）に示すように、上記小穴領域１４ｃに形成する小穴１４ｈの深さに分布を持たせるとともに、周方向溝１１ｄ側に位置する小穴１４ｈの深さを深くしても、リブ状部１４ａから遠い部分の接地圧を更に小さくできるので、ピッチノイズを更に低減することができる。
あるいは、図９に示すように、上記小穴領域１４ｃを上記翼部１４ｂの周方向溝１１ｄ側に設けるとともに、周方向溝１１ｄ側には開口部の径の大きな小穴１４ｐを配置し、リブ状部１４ａ側には開口部の径の小さな小穴１４ｑを配置し、その中間部には、開口部の径が小穴１４ｐよりも小さく小穴１４ｑよりも大きな小穴１４ｒを配置するなどすれば、リブ状部１４ａから遠い部分の接地圧を更に小さくできるので、ピッチノイズを更に低減することができる。
なお、図１０（ａ），（ｂ）に示すように、上記小穴１４ｈが形成された小穴領域１４ｃを上記翼部１４ｂのリブ状部１４ａ側に設けた場合でも、図１０（ｃ）に示すように、上記翼部１４ｂの接地圧を小さくして上記翼部１４ｂの荷重負担を上記リブ状部１４ａにシフトさせることができるので、上記周方向溝１１ｄ側に設けた場合よりも効果は小さいものの、従来の小穴１４ｈが形成されていないラグ溝付リブ７５を有するタイヤに比較して、ピッチノイズを十分に低減することができる。
【００１５】
また、本発明は、図１１（ａ），（ｂ）に示すような、例えば、溝幅が１ｍｍ以下である細溝（サイプ）１９などでリブ状部１４ａが分断されているようなトレッドパターンであっても適用可能である。これは、上記細溝１９の幅がラグ溝１５の溝幅よりも狭く、かつ、接地面内において閉じてしまうので、ノイズ入力にはなりにくいので、ノイズ入力としては、ラグ溝１５によるもののみを対象とすればよいからである。同様に、ラグ溝幅に分布がある場合には、周方向断面から見て、その幅の広い部分に上記小穴１４ｈを設けるようにすれば、ピッチノイズを効果的に低減することができる。
【実施例】
【００１６】
図１に示した、本発明による翼部１４ｂに多数の小穴１４ｈが形成されたラグ溝付リブ部を備えたトレッドパターンを有するタイヤ（実施例１）と、図１５に示した小穴が形成されていないラグ溝付リブ部７５を備えたトレッドパターンを有するタイヤ（従来例）とについて、それぞれタイヤ騒音を測定して評価した。
なお、翼部の幅は、いずれもＬ１＝２０ｍｍであり、実施例１では領域幅Ｌ２＝１５ｍｍにほぼ等間隔で直径が１ｍｍ、深さが７ｍｍの円形の小穴を５０個／ブロック設けた。
タイヤサイズは１９５／６５Ｒ１５で、これを６Ｊのリムにそれぞれ組込んだ。なお、荷重は４ｋＮ、タイヤ内圧は２１０ｋＰａとした。
タイヤ騒音の評価は、試験タイヤを回転ドラム上で、速度８０ｋｍ／ｈｒにて走行させるとともに、タイヤ横方向１ｍ、高さ０．２５ｍの位置に設置したマイクロフォンを使用して、上記タイヤの発生する音圧レベルを測定し、その音圧レベルを従来例を１００とした指数で評価した。このとき、希求水準は実車試験でも効果が見込める値として、指数で１０以上の改善（削減）としている。
試験の結果、実施例１の本発明のトレッドパターンを有するタイヤの音圧レベルの指標は８０であった。これにより、本発明のトレッドパターンを有するタイヤは、従来のタイヤに比べてタイヤ騒音が大幅に改善されていることが確認された。
【００１７】
次に、小穴の形成領域をＬ２＝４ｍｍ〜２０ｍｍまで変化させて音圧レベルを測定した結果を図１２（ａ），（ｂ）に示す。小穴は、上記実施例１と同様に、直径が１ｍｍ、深さが７ｍｍの円形のものとし、小穴の密度についても実施例１と同じ密度とした。なお、図１２（ｂ）の横軸は幅比（Ｌ２／Ｌ１）、縦軸は従来例の音圧レベルを１００としたときに音圧レベルの指数（結果指数）Ｋである。
図１２（ａ），（ｂ）から明らかなように、結果指数は（Ｌ２／Ｌ１）が０．９である実施例４がＫ＝７７と最も良いが、（Ｌ２／Ｌ１）の値が０．３〜１．０である実施例２，３においても、指数で１０以上の改善が見られ、実車試験でも効果が見込める値となることが確認された。
一方、（Ｌ２／Ｌ１）の値が０．２００である比較例では、Ｋ＝９４とあまり改善効果が見られなかった。また、（Ｌ２／Ｌ１）の値が１．０、すなわち、翼部全部に小穴を設けた実施例５では、Ｋ＝７８と指数で２０以上の改善が見られ、翼部全部に小穴を設けてもよいことが確認された。
【００１８】
また、小穴の形成領域幅をＬ２＝１５ｍｍに、穴数を５０個／ブロックに固定し、小穴の穴深さ、密度分布、開口部の大きさ、形成領域などを変化させたトレッドパターンを有するタイヤ（実施例６〜実施例１１）を作製して、音圧レベルを測定した。
実施例６は、図８（ｂ）に示したような、小穴の深さを３ｍｍ〜７ｍｍの間で分布させ、かつ、周方向溝側の小穴の深さを深くしたもので、結果指数はＫ＝７６と、穴深さが全て７ｍｍと一様な実施例１よりも騒音低減効果が更に向上していることが分かった。
実施例７は、図８（ａ）に示したような、周方向溝側に近い程の小穴の密度を高くしたもので、結果指数はＫ＝７５と、小穴の密度分布が一定な実施例１よりも騒音低減効果が更に向上していることが分かった。
実施例８は、図９に示したような、開口部の穴径を０．８ｍｍ〜３ｍｍに分布させ、かつ、周方向溝側の小穴ほど開口部の径を大きくしたもので、結果指数はＫ＝７３と、従来例に比較して指数で２７、小穴の開口部の穴径が全て１ｍｍと一定な実施例１に比較して指数で１７と大幅な改善が見られた。
実施例９は、図７に示したような、開口部の穴径を大小ランダムに組合わせたものとし、かつ、穴の総面積を実施例１と同じくしたもので、結果指数はＫ＝８３と実施例１よりも劣るものの、従来例に比較して指数で１５以上の改善が見られた。
実施例１０は、図１０に示したような、小穴の分布をリブ状部寄りにしたもので、結果指数はＫ＝８４と、小穴の分布を周方向溝側よりにした実施例１よりは劣るものの、従来例よりも結果指数は１６も小さく、十分に騒音を低減できることが確認された。
実施例１１は、図６に示したような、穴深さが５ｍｍと９ｍｍの小穴をタイヤ幅方向に交互に設けたもので、この場合も、結果指数はＫ＝８０と実施例１とほぼ同等であった。
【産業上の利用可能性】
【００１９】
このように、本発明によれば、トレッドパターンの基調を変更することなく、ラグ溝に起因するピッチノイズを抑制することができるので、車両の静粛性を容易に向上させることができる。
【図面の簡単な説明】
【００２０】
【図１】本発明の最良の形態に係る空気入りタイヤのトレッドパターンを示す図である。
【図２】本最良の形態に係るラグ溝付リブの概要を示す斜視図である。
【図３】本最良の形態に係るラグ溝付リブの接地圧分布を示す図である。
【図４】本発明による小穴の形状を示す図である。
【図５】本発明による小穴の他の形状を示す図である。
【図６】本発明による小穴の形状とその分布を示す図である。
【図７】本発明による小穴の形状とその分布を示す図である。
【図８】本発明による小穴の形状とその分布を示す図である。
【図９】本発明による小穴の形状とその分布を示す図である。
【図１０】本発明によるラグ溝付リブの他の形態を示す図である。
【図１１】本発明によるラグ溝付リブを備えたトレッドパターンを示す図である。
【図１２】小穴領域の幅比と音圧レベルとの関係を示す図である。
【図１３】小穴のパターンによるノイズ低減効果を比較した図である。
【図１４】従来のブロックパターンを有する空気入りタイヤのブロックの構成を示す図である。
【図１５】従来のラグ溝付リブを備えたトレッドパターンを示す図である。
【符号の説明】
【００２１】
１０  空気入りタイヤ、１１ａ〜１１ｄ  周方向溝、１２  横溝、１３  第１の陸部、１４  第２の陸部（ラグ溝付リブ）、１４ａ  リブ状部、１４ｂ  翼部、
１４ｃ  小穴領域、１４ｈ  小穴、１５  ラグ溝、１６  ショルダーブロック。
【図１】
0004717575.tif 000002
【図２】
0004717575.tif 000003
【図３】
0004717575.tif 000004
【図４】
0004717575.tif 000005
【図５】
0004717575.tif 000006
【図６】
0004717575.tif 000007
【図７】
0004717575.tif 000008
【図８】
0004717575.tif 000009
【図９】
0004717575.tif 000010
【図１０】
0004717575.tif 000011
【図１１】
0004717575.tif 000012
【図１２】
0004717575.tif 000013
【図１３】
0004717575.tif 000014
【図１４】
0004717575.tif 000015
【図１５】
0004717575.tif 000016